(57)【要約】  本発明は、印刷システムの制御ユニットに接続されたユーザインタフェース画面上で極端なアスペクト比を有するデジタル画像を表示する方法に関するもので、本方法は、長手方向のデジタル画像の一方の端部を含むデジタル画像の第１の部分を決定すること、長手方向のデジタル画像の他方の端部を含むデジタル画像の第２の部分を決定すること、ユーザインタフェース画面上で第１の部分と第２の部分を同時に表示すること、さらにデジタル画像の残りの部分を非表示の仕方か、またはユーザインタフェース画面の第１の部分と第２の部分の中間に圧縮された仕方で表示することの各ステップを含んでいる。
2015530655.tif 000002
【特許請求の範囲】
【請求項１】
デジタル画像を印刷するための印刷システムであって、印刷システムは制御ユニットと極端なアスペクト比を有するデジタル画像を表示するためのユーザインタフェース画面、デジタル画像の第１の部分で長手方向のデジタル画像の一方の端部を含む該デジタル画像の第１の部分を決定するための第１の決定手段、デジタル画像の第２の部分で長手方向のデジタル画像の他方の端部を含む該デジタル画像の第２の部分を決定するための第２の決定手段を備え、ここで、
制御ユニットが第１の部分と第２の部分を同時に表示し、さらに、第１の部分と第２の部分の中間に圧縮された仕方でデジタル画像の残りの部分を表示するか、またはデジタル画像の残りの部分を非表示にするユーザインタフェース画面を有するように構成されている印刷システム。
【請求項２】
制御ユニットが、長手方向に対してデジタル画像と同じ順序で第１の部分と第２の部分を同時に表示するためのユーザインタフェース画面を有するように構成された請求項１に記載の印刷システム。
【請求項３】
制御ユニットが、分離画像によって残りの部分を置換するように構成されている、請求項１から請求項２のいずれか一項に記載の印刷システム。
【請求項４】
印刷システムのユーザインタフェース画面上で極端なアスペクト比を有するデジタル画像を表示する方法であって、方法が、
長手方向のデジタル画像の一方の端部を含むデジタル画像の第１の部分を決定するステップと、
長手方向のデジタル画像の他方の端部を含むデジタル画像の第２の部分を決定するステップと、
ユーザインタフェース画面上で第１の部分と第２の部分を同時に表示し、さらに、第１の部分と第２の部分の中間に圧縮された仕方でデジタル画像の残りの部分を表示するか、またはデジタル画像の残りの部分を非表示にするステップとを含む方法。
【請求項５】
第１の部分と第２の部分が、長手方向に対してデジタル画像と同じ順序で表示される、請求項４に記載の方法。
【請求項６】
方法が分離画像によって残りの部分を置換するステップを含む、請求項４から５のいずれか一項に記載の方法。
【請求項７】
方法がさらに、
ユーザインタフェース画面に表示された第１の部分と第２の部分との間の境界領域を、第１の部分の一方の端部が境界領域から一番遠い場合には、該第１の部分の一方の端部に向かって、第２の部分の他方の端部が境界領域から一番遠い場合には、該第２の部分の他方の端部に向かってドラッグするステップと、
ドラッグの量に基づいて第１の部分と第２の部分を再決定し、第１の部分と第２の部分の合計サイズを不変のままにするステップと、
再決定された第１および第２の部分をユーザインタフェース画面に表示するステップを含み、
再決定された第１の部分は長手方向のデジタル画像の一方の端部を含み、再決定された第２の部分は長手方向のデジタル画像の他方の端部を含む、請求項４に記載の方法。
【請求項８】
方法がさらに、
ユーザインタフェース画面上に表示される第１の部分と第２の部分のいずれかをタッチするステップと、
タッチされた部分のサイズの増大および他の部分のサイズの減少によって、タッチされた部分に基づいて第１の部分と第２の部分を再決定し、第１の部分と第２の部分の合計サイズは不変のままであるステップと、
ユーザインタフェース画面で再決定された第１の部分と第２の部分を表示するステップを含み、再決定された第１の部分は長手方向のデジタル画像の一方の端部を含み、再決定された第２の部分は長手方向のデジタル画像の他方の端部を含む、請求項４に記載の方法。
【請求項９】
方法がさらに、
ユーザインタフェース画面上に表示される第１の部分と第２の部分のいずれかをタッチするステップと、
タッチされた部分をズームインすることによってタッチされた部分を再決定するステップと、
タッチされた部分でのズームインと同じ度合で、タッチされていない部分をズームインすることによって、タッチされていない部分を再決定するステップと、
再決定されたタッチ部分および再決定されたタッチされていない部分をユーザインタフェース画面上に表示するステップを含み、
再決定された第１の部分は長手方向のデジタル画像の一方の端部を含み、再決定された第２の部分は長手方向のデジタル画像の他方の端部を含む、請求項４に記載の方法。
【請求項１０】
方法がさらに、
ユーザインタフェース画面上に表示される第１の部分と第２の部分のいずれかをタッチするステップと、
タッチされた部分をズームインすることによってタッチされた部分を再決定するステップと、
タッチされていない部分を変更されないまま残すステップと、
再決定されたタッチされた部分および変更されていないタッチされていない部分をユーザインタフェース画面上に表示するステップを含み、
再決定されたタッチされた部分は、タッチされた部分が第１の部分に等しい場合、長手方向のデジタル画像の一方の端部を含み、再決定されたタッチされた部分は、タッチされた部分が第２の部分に等しい場合、長手方向のデジタル画像の他方の端部を含む、請求項４に記載の方法。
【請求項１１】
第１の部分と第２の部分が、ユーザインタフェース画面上の第１の部分と第２の部分の対面側が相手方の形状を有するように決定される、請求項４から１０のいずれか一項に記載の方法。
【請求項１２】
プロセッサでの実行時に、請求項４から１１のいずれか一項に記載の方法を実行するコンピュータプログラム製品。
【請求項１３】
請求項１２に記載のコンピュータプログラム製品を備えるデータキャリア。
【発明の詳細な説明】
【技術分野】
【０００１】
本発明は、極端なアスペクト比を有するデジタル画像を表示するための制御ユニットおよびユーザインタフェース画面を備える、デジタル画像を印刷するための印刷システムに関する。
【背景技術】
【０００２】
デジタル画像のアスペクト比は、デジタル画像の幅と長さとの比率として定義され得る。Ａ０、Ａ１、Ａ２、Ａ３、Ａ４、Ａ５など、またはＢ０、Ｂ１、Ｂ２、Ｂ３、Ｂ４、Ｂ５などのよく知られている範囲の画像から、極端な比率の画像を見分けるために、デジタル画像の極端なアスペクト比が１：２以上の比、１：３以上の比、１：４以上の比のアスペクト比として定義され得る。デジタル画像は、ＰＤＦ、ＢＭＰ、ＪＰＥＧまたは他のいずれかの２次元の静止した形式とし得る。極端なアスペクト比を有するような画像は、印刷システムの制御ユニットに存在する読取手段によって記憶装置から読み出され得る。記憶装置は印刷システムの一部であり得るが、記憶装置は印刷システムへのネットワークを介して接続された外部記憶装置でもあり得る。印刷システムのメモリ手段は、部分的に外部記憶装置から印刷システムのメモリ手段にデジタル画像を読み取るために使用され得る。デジタル画像は、例えば、中央部分などのデジタル画像の一部のみを示すことにより、印刷システムのユーザインタフェース画面に表示され得る。デジタル画像の詳細はデジタル画像の極端なアスペクト比のために全く見えないので、全体のデジタル画像を表示することは受け入れられるものとはならない。デジタル画像の一部のみを示すことの欠点は、ユーザが、画像が極端アスペクト比を有する画像であるという印象を有していないということである。別の欠点は、ユーザがデジタル画像の凡例またはタイトルブロックのような、デジタル画像の示された部分に存在しない重要な情報を見逃し得ることである。
【発明の概要】
【課題を解決するための手段】
【０００３】
本発明による印刷システムは、これらの欠点を回避するもので、制御ユニットはさらに、長手方向のデジタル画像の一方の端部を含むデジタル画像の第１の部分を決定するための第１の決定手段および長手方向のデジタル画像の他方の端部を含むデジタル画像の第２の部分を決定するための第２の決定手段を備え、ここで制御ユニットは、同時に第１の部分と第２の部分を表示し、さらに第１の部分と第２の部分の中間で圧縮された仕方でデジタル画像の残りの部分を表示するか、またはデジタル画像の残りの部分を非表示にするためのユーザインタフェース画面を有するように構成されている。
【０００４】
デジタル画像の第１の部分は、長手方向のデジタル画像の一方の端部を含むように第１の決定手段により決定される。デジタル画像の第２の部分は、長手方向のデジタル画像の他方の端部を含むように第２の決定手段により決定される。ユーザインタフェース画面上の第１および第２の部分を表示することにより、長手方向のデジタル画像の両端が表示される。デジタル画像の非空の残りの部分は非表示にされるか、または第１の部分と第２の部分との中間で圧縮された仕方で表示される。そうすることによって、ユーザはすぐに画像全体の直感的な視覚を取得する。本発明者らはまた、画像の凡例またはタイトルブロックが通常、コーナーの１つ、したがって、長手方向のデジタル画像の端部の１つにあることを認識した。デジタル画像の両端が見えるので、凡例またはタイトルブロックは、一方の端部に存在する場合でも見える。残りの部分は、互いに一定の所定の距離で第１および第２の部分のみを示して非表示にされ得る。別の実施形態では、残りの部分は、ユーザに、さらに画像情報を伴う残りの部分があるという印象を与えるために第１の部分と第２の部分の中間で圧縮される。圧縮の程度は、第１の部分、第２の部分、および残りの部分がユーザインタフェース画面で表示される必要のある領域のサイズによって決定され得る。
【０００５】
印刷システムの一実施形態によると、制御ユニットは、長手方向に対してデジタル画像と同じ順序で第１の部分と第２の部分を同時に表示するためのユーザインタフェース画面を有するように構成されている。ユーザは引き続き、互いに対して、元の画像と同じ向きで元の画像の第１および第２の部分を見る。
【０００６】
印刷システムの一実施形態によると、制御ユニットは、分離画像によって残りの部分を置換するように構成されている。ユーザは、第１と第２の画像の間の境界領域として分離画像を認識する。
【０００７】
本発明はさらに、ユーザインタフェース画面上で極端なアスペクト比を有するデジタル画像を表示する方法に関するもので、本方法は、長手方向のデジタル画像の一方の端部を含むデジタル画像の第１の部分を決定すること、長手方向のデジタル画像の他方の端部を含むデジタル画像の第２の部分を決定すること、ユーザインタフェース画面上で第１の部分と第２の部分を同時に表示すること、さらにデジタル画像の残りの部分を圧縮された仕方で第１の部分と第２の部分の中間で表示するか、またはデジタル画像の残りの部分を非表示にすることの各ステップを含んでいる。
【０００８】
方法の一実施形態によると、第１の部分と第２の部分は、長手方向に対してデジタル画像と同じ順序で表示される。ユーザは引き続き、互いに対して、元の画像と同じ向きで元の画像の第１および第２の部分を見る。
【０００９】
一実施形態によると、本方法は分離画像によって残りの部分を置換するステップを含んでいる。ユーザは、第１と第２の画像の間の境界領域として分離画像を認識する。
【００１０】
方法の一実施形態によると、本方法はさらに、ユーザインタフェース画面に表示された第１の部分と第２の部分との間の境界領域を、第１の部分の一方の端部が境界領域から一番遠い場合には、該第１の部分の一方の端部に向かって、第２の部分の他方の端部が境界領域から一番遠い場合には、該第２の部分の他方の端部に向かってドラッグすること、ドラッグの量に基づいて第１の部分と第２の部分を再決定し、第１の部分と第２の部分の合計サイズを不変のままにすること、および再決定された第１および第２の部分をユーザインタフェース画面に表示する各ステップを含み、再決定された第１の部分は長手方向のデジタル画像の一方の端部を含み、再決定された第２の部分は長手方向のデジタル画像の他方の端部を含んでいる。マウス、スタイラス、またはタッチスクリーンの場合には人の指のような有形のオブジェクトがドラッグするために使用され得る。第２の部分の方向に第１の部分からマウスポインタ、スタイラス、または人の指をドラッグすることによって、第１の部分は長手方向に伸長される。同時に、第２の部分は長手方向に収縮される。第１の部分の方向に第２の部分から有形のオブジェクトをドラッグすることにより、第２の部分は長手方向に伸長される。同時に、第１の部分は長手方向に収縮される。そうすることによって、第１の部分と第２の部分が表示される、ユーザインタフェース画面上の領域はサイズが同じままである。
【００１１】
一実施形態によると、本方法は、ユーザインタフェース画面上に表示される第１の部分と第２の部分のいずれかをタッチすること、タッチされた部分のサイズの増大および他の部分のサイズの減少によって、タッチされた部分に基づいて第１の部分と第２の部分を再決定し、第１の部分と第２の部分の合計サイズは不変のままであること、ユーザインタフェース画面で再決定された第１の部分と第２の部分を表示することの各ステップをさらに含み、再決定された第１の部分は長手方向のデジタル画像の一方の端部を含み、再決定された第２の部分は長手方向のデジタル画像の他方の端部を含んでいる。この実施形態によると、第１または第２の部分のタッチは、それぞれ、第１の部分、第２の部分を増大させるのに十分である。増大は、長手方向にタッチされた部分を伸長することによって実現され得、同時に減少は長手方向のタッチされていない部分を減少させることによって実現され得る。
【００１２】
別の実施形態によると、タッチされた部分はさらに、デジタル画像の元のサイズの１００％へ徐々に、または直接、ズームインされ得る。タッチされていない部分はさらに、タッチされた部分と同じズーム量で再決定されたり、または変更されないままにされ得る。この実施形態は、前の実施形態と組み合わせた長手方向拡大のような他のアクションから対応するアクションを区別するために、タッチジェスチャ、デピンチジェスチャタッチ、シングルクリック、またはダブルクリックによって実現され得る。
【００１３】
一実施形態によると、第１の部分と第２の部分は、ユーザインタフェース画面上の第１の部分と第２の部分の対面側が相手方の形状を有するように決定される。そうすることによって、第１の部分と第２の部分との間のユーザインタフェース画面のスペースは最小限に低減化される。形状は、第１の部分と第２の部分との間に画像の残りの部分があるということを表現するように決められる。
【００１４】
本発明はさらに、プロセッサ上で実行された時に、前の実施形態のいずれかによる方法を実行するコンピュータプログラム製品にも関する。
【００１５】
本発明はさらに、上記のようにコンピュータプログラム製品を備えるデータキャリアにも関する。
【００１６】
本発明による印刷システムは、添付の図面を参照してより詳細に説明されるであろう。
【図面の簡単な説明】
【００１７】
【図１】本発明による印刷システムを示す図である。
【図２】本発明による方法の一実施形態の流れ図である。
【図３Ａ】ユーザインタフェース画面でのデジタル画像の第１の部分と第２の部分を示す図である。
【図３Ｂ】ユーザインタフェース画面でのデジタル画像の第１の部分と第２の部分を示す図である。
【図３Ｃ】ユーザインタフェース画面でのデジタル画像の第１の部分と第２の部分を示す図である。
【図３Ｄ】ユーザインタフェース画面でのデジタル画像の第１の部分と第２の部分を示す図である。
【図４】本発明による方法の第２の実施形態の流れ図である。
【図５Ａ】本方法の第２の実施形態に従い、ジェスチャを第１の部分と第２の部分に適用する時のユーザインタフェース画面を示す図である。
【図５Ｂ】本方法の第２の実施形態に従い、ジェスチャを第１の部分と第２の部分に適用する時のユーザインタフェース画面を示す図である。
【図６】本発明による方法の第３の実施形態の流れ図である。
【図７】本発明による方法の第４の実施形態の流れ図である。
【図８Ａ】本方法の第４の実施形態に従い、ジェスチャを第１の部分と第２の部分に適用する時のユーザインタフェース画面を示す図である。
【図８Ｂ】本方法の第４の実施形態に従い、ジェスチャを第１の部分と第２の部分に適用する時のユーザインタフェース画面を示す図である。
【発明を実施するための形態】
【００１８】
図１では、印刷システムが示されている。しかしながら、コピーシステム、走査システム、多機能システム、モバイルデバイス、タブレットパーソナルコンピュータ、ユーザワークステーション、プリンタドライバシステム、またはスマートフォンのような他の印刷システムも想定され得る。図１は、ローカルネットワークＮに接続されたワークステーション８Ａ〜８Ｃを備えた印刷システムを示している。再生装置５は、ワークステーション８Ａ〜８Ｃのいずれかを操作するユーザが利用可能で、ワークステーション８Ａ〜８Ｃの１つから再生装置５に文書のセットを含む印刷ジョブを送信することを目的としている。再生装置５は、ネットワークＮに接続され、ワークステーション８Ａ〜８Ｃからの印刷ジョブを受信するのに適している。ネットワークＮは無線にし得る。再生装置５は、印刷ジョブとその設定を表示し、選択するために適したユーザインタフェース２を備える。
【００１９】
一実施形態では、ワークステーション８Ａ〜８Ｃのそれぞれは、プロセッサユニット、ディスプレイユニット、キーボードおよびマウス、または他の入力手段を備えたパーソナルコンピュータで、ワークステーションにログインしているユーザは、１つ以上の印刷ジョブ再生装置５へ送出し得る。送出は、ワークステーション８Ａ〜８Ｃのいずれかにインストールされたプリンタドライバによって行い得る。そのようなプリンタドライバは、印刷設定を表示し、印刷設定を入力して画像のプレビューを表示するようになされ得る。再生装置は、小型および／またはワイドフォーマット文書のプリンタにし得る。
【００２０】
一実施形態では、再生装置５は、印刷設定または印刷ジョブのキューを表示するためのローカルユーザインタフェース２およびハードディスクなどの記憶手段７を備えた制御ユニット３を備える。ローカルユーザインタフェースは、タッチスクリーンの形で実現され得る。代替として、ローカルユーザインタフェースは、デジタル文書の印刷を実行するため、ユーザにコマンドの入力を可能にするためのマウスとキーボードを伴うスクリーンとし得る。再生装置５は再生装置５の上部に装着されるか、または再生装置５の前面パネルに統合されたローカルユーザインタフェース２を備え得る。本発明に関連した再生装置５の使用方法は、これからさらに説明される。
【００２１】
制御ユニット３は、印刷ジョブのキューの格納、キューが空であるかどうかの確認、および印刷されるための再生装置５の印刷エンジンへのキューイングされた印刷ジョブからの文書の送信を行うために適している。印刷ジョブの文書は、少なくとも文書が印刷エンジンによって印刷され仕上げ手段によって仕上げられる時間期間の間、制御ユニット３に含まれる記憶手段７に記憶される。
【００２２】
本発明による再生装置は、電気写真焼き付けプリンタ、インクジェットプリンタ、または他の種類の再生装置とし得る。再生装置の一実施形態によると、受容材料のシートは再生装置によって後処理される。別の実施形態によると、受容材料のロールは再生装置により後処理される。受容材料は、紙、織物、金属板、プリント回路基板、太陽電池プレート、オーバーヘッドシート材料、プラスチック、または他の種類の適切な受容材料または基板とし得る。再生装置は仕上げオプションを含み得る。しかし、印刷されたジョブを終了し、印刷ジョブの送信元またはユーザの要望に応じて印刷されたジョブを配信するために、外部仕上げ機器の仕上げオプションがプロダクションシステムに用意され得る。
【００２３】
本発明は、ローカルユーザインタフェース２またはワークステーション８Ａ〜８Ｃのいずれかの表示ユニットに、極端なアスペクト比を伴う画像を表示するための方法に関する。例えば、再生装置５用のドライバがワークステーション上で開かれた時に、印刷されるジョブがワークステーション８Ａ〜８Ｃのいずれかでプレビューとして表示され得る。印刷されるジョブはさらに、印刷ジョブがワークステーション８Ａ〜８Ｃの１つから再生装置５に送信された後に、ローカルユーザインタフェース２にプレビューとして表示され得る。別の種類の印刷システムの場合、画像は、印刷システムのディスプレイに表示され得る。ディスプレイは、タッチスクリーンまたはマルチタッチスクリーンとし得る。
【００２４】
図２は、本方法の一実施形態の各ステップを示している。開始点Ａでは、極端なアスペクト比を有するデジタル画像が記憶手段に記憶されている。本方法の第１のステップＳ１１０によると、極端なアスペクト比を有するデジタル画像は、印刷システムの制御ユニットの記憶手段から読み出される。デジタル画像は、印刷システムのユーザインタフェース画面に画像を表示するために、記憶手段から読み出される。図１による再生システム５の場合、デジタル画像はユーザインタフェース画面２に画像を表示するために、再生システム５の制御ユニット３の記憶手段７から読み出される。別の実施形態では、デジタル画像はワークステーション８Ａ〜８Ｃのいずれかの内の記憶手段から読み出される。デジタル画像は、ワークステーション８Ａ〜８Ｃのいずれかの表示ユニットで画像を表示するために、このような記憶装置から読み出される。
【００２５】
デジタル画像は、ＴＩＦＦ形式、ＪＰＥＧ形式、または他のいずれかの適切な２次元の静止した画像ファイル形式とし得る。デジタル画像には、ユーザインタフェース画面２または表示ユニット、例えば、タッチスクリーンなどでの表示のために適したｍ×ｎ個の画像画素が存在し得る。整数ｎは整数ｍより非常に大きいと想定する。デジタル画像は、メモリを節約するために圧縮された仕方で記憶手段に記憶され得る。
【００２６】
本方法の第２のステップＳ１２０によると、長手方向のデジタル画像の一方の端部を含む、デジタル画像の第１の部分が決定される。第１の部分と第２の部分の合計サイズは、ユーザインタフェース画面上で利用可能なユーザインタフェースの表示領域によって決められる。第１の部分のサイズは概算でｍ×ｎ１と想定され、ここでｎ１はｎよりも小さく、例えば、ｎ１はｍ以下である。
【００２７】
デジタル画像はストリップまたはバンドで編成され得る。各ストリップは、デジタル画像の向きに応じて、いくつかの画素の行または画素の列から構成されている。これは高速ランダムアクセスおよび効率的なＩ／Ｏバッファリングを可能にするので、デジタル画像の一部を決定するために利点となる。第１の部分は、所定の数のストリップであると決定され得る。低解像度から中解像度の画像の場合、画像をストリップに分割する方法が適切である。
【００２８】
デジタル画像はストリップではなくタイルで編成され得る。このことは、画像が大ざっぱに正方形タイルに分割される場合、より効率的にアクセスされ得る高解像度の画像には利点となり、圧縮も良く機能する傾向にある。ユーザインタフェースの表示領域に画像を表示する前に、画像の回転が適用される時には、画像ファイルの読み取りを最適化することも利点となる。画像を回転させることによって、連続したタイルまたはストリップはデジタル画像の第１の部分を取得するために読み取り得、連続したタイルまたはストリップはデジタル画像の第２の部分を取得するために読み取り得る。第１の部分は、所定の数のタイルであると決定され得る。ストリップおよびタイルの編成をサポートするファイル形式は、ＴＩＦＦ画像ファイル形式またはＪＰＥＧ画像ファイル形式である。
【００２９】
本方法の第３のステップＳ１３０によると、長手方向のデジタル画像の他方の端部を含む、デジタル画像の第２の部分が決定される。第１および第２の部分の合計サイズは、ユーザインタフェース画面上で利用可能なユーザインタフェースの表示領域によって決められる。第２の部分のサイズは概算でｍ×ｎ２と想定され、ここでｎ２はｎよりも小さく、例えば、ｎ２はｍ以下である。第２の部分は、所定数のストリップまたは所定の数のタイルのであると決定され得る。
【００３０】
第４のステップＳ１４０によると、第１の部分と第２の部分は、非表示の仕方で、または第１の部分と第２の部分の中間に圧縮された仕方でのデジタル画像の非空の残りの部分と共に、ユーザインタフェース画面上に同時に表示される。第１の部分は、短手幅全体の表示画面でデジタル画像の一方の端部を示している。第２の部分は、短手幅全体の表示画面でデジタル画像の他方の端部を示している。第１の部分と第２の部分の向きは、元のデジタル画像の第１の部分と第２の部分の向きに対応している。終了点Ｂで、第１および第２の部分はユーザインタフェース画面にプレビューとして表示される。
【００３１】
図３Ａは、デジタル画像を表示するためのプレビュー領域２１を含むユーザインタフェース画面２０を示している。デジタル画像は極端なアスペクト比を有しているので、デジタル画像の第１の部分２２とデジタル画像の第２の部分２３が示されている。第１の部分２２は、短手幅全体でデジタル画面の左端を含んでいる。短手幅は、第１の部分２２の垂直距離として図３Ａに示されている。第２の部分２３は、短手幅全体でデジタル画面の右端を含んでいる。短手幅は、第１の部分２２の垂直距離に等しい第２の部分２３の垂直距離として図３Ａに示されている。対面側２２Ｒおよび２３Ｌは、左部分２２と右部分２３の間のスペース２４Ａを最小にする同一の反対部分を有している。図３Ａで示されている、一実施形態によると、各対面側２２Ｒ、２３Ｌは線状である。第１の部分２２および第２の部分２３のいずれかは、デジタル画像の凡例またはタイトルブロックを含み得る。図３Ａでは、タイトルブロック２６は、第２の部分２６に配置され、プレビュー領域２１で完全に見えている。図３Ａでは、第１の部分と第２の部分との間のデジタル画像の残りの部分は非表示にされる。
【００３２】
図３Ｂは、デジタル画像を表示するためのプレビュー領域２１を含むユーザインタフェース画面２０を示している。デジタル画像は極端なアスペクト比を有しているので、デジタル画像の第１の部分２２とデジタル画像の第２の部分２３が示されている。第１の部分２２は、短手幅全体でデジタル画像の左端を含んでいる。短手幅は、第１の部分２２の垂直距離として図３Ｂに示されている。第２の部分２３は、短手幅全体でデジタル画面の右端を含んでいる。短手幅は、第１の部分２２の垂直距離に等しい第２の部分２３の垂直距離として図３Ｂに示されている。対面側２２Ｒおよび２３Ｌは、左手部分２２と残りの部分２４Ｂ、および残りの部分２４Ｂと右部分２３の間のスペースを最小にする同一の反対部分を有している。図３Ｂでは、デジタル画像の残りの部分は、第１の部分２２と第２の部分２３の中間で画像２４Ｂとして圧縮される。圧縮された画像２４Ｂおよび左手部分２２と右手部分２３の合計サイズは、プレビュー領域２１の大きさに依存する。
【００３３】
図３Ｃと図３Ｄは、第１の部分、第２の部分、および図３Ｂのように見える場合には、残りの部分の他の反対部分の形状の例を示している。図３Ｃでは、波形２５が対面する両方のエッジ２２Ｒ、２３Ｌの一部である。図３Ｄでは、対面する両方のエッジ２２Ｒ、２３Ｌは同じ曲線より成形されている。
【００３４】
図４は、本方法の別の実施形態の各ステップを示している。最初の４つのステップ１１０、１２０、１３０、１４０は、図２による方法と同じである。図４の開始点Ｂは、図２の終了点Ｂに対応している。
【００３５】
本方法の追加の第５のステップＳ１５０によると、ユーザインタフェース画面上に表示される第１の部分と第２の部分との間の境界領域は、第１の部分の一方の端部で第２の部分から最も遠い、当該第１の部分の一方の端部に向かってドラッグされるか、または第２の部分の一方の端部で第１の部分から最も遠い、当該第２の部分の一方の端部に向かってドラッグされる。境界領域は、第１の部分と第２の部分の中間にスペースを含み得る。境界領域は、部分的に第１の部分、および当該対面側で第２の部分と重なり得る。ユーザは非常に正確に、マウスポインタ、スタイラス、または人間の指をユーザインタフェース画面上に置く必要がないので、これは利点となる。境界領域２５およびドラッグの方向Ｘが図５Ａに示されている。境界領域２５は、第１の部分２２と第２の部分２３の中間にスペース２４Ａを含み得る。境界領域２５は、部分的に第１の部分２２、および当該対面側２２Ｒ、２３Ｌで第２の部分２３と重なる。
【００３６】
本方法の追加の第６のステップＳ１６０によると、第１の部分と第２の部分は第１の部分と第２の部分の合計サイズを変更されないままにして、ドラッグの量に基づいて再決定される。図５に示すようにＸ方向にドラッグした場合、第１の部分を含む画像のより広い部分が記憶装置から読み出され、一方、第２の部分は第２の部分からより小さい部分を取得することによって再決定される。
【００３７】
追加の第７のステップＳ１７０によると、再決定された第１の部分５２と再決定された第２の部分５３が、図５Ｂに示されているように、ユーザインタフェース画面２０上に表示される。再決定された第１の部分５２と再決定された第２の部分５３の合計サイズは、図５Ａに示されている元の第１の部分２２と元の第２の部分２３の合計サイズと同じである。次いで、本方法の終了点Ｃに到達する。
【００３８】
図６は、本方法の別の実施形態の各ステップを示している。最初の４つのステップＳ１１０、Ｓ１２０、Ｓ１３０、Ｓ１４０は、図２による方法と同じである。図６の開始点Ｂは、図２の終了点Ｂに対応している。
【００３９】
本方法の追加の第５のステップＳ１５０Ａによると、ユーザインタフェース画面上で第１の部分と第２の部分のいずれかがタッチまたはクリックされる。
【００４０】
追加の第６のステップＳ１６０Ａによると、第１の部分と第２の部分は、第１の部分と第２の部分の合計サイズを不変のままにし、タッチされた部分のサイズを増大させ、他の部分のサイズを減少させることにより、タッチされた部分に基づいて再決定される。増減量は、タッチまたはクリックごとに事前に定義され得る。別の実施形態では、増減量はそれぞれの部分のタッチの継続時間に依存し得る。
【００４１】
追加の第７のステップ１７０Ａによると、再決定された第１および第２の部分は、ユーザインタフェース画面に表示される。次いで、本方法の終了点Ｃに到達する。
【００４２】
図７は、本方法の別の実施形態の各ステップを示している。最初の４つのステップＳ１１０、Ｓ１２０、Ｓ１３０、Ｓ１４０は、図２による方法と同じである。図７の開始点Ｂは、図２の終了点Ｂに対応している。
【００４３】
本方法の追加の第５のステップＳ１５０Ｂによると、ユーザインタフェース画面上に表示される第１の部分と第２の部分のいずれかがタッチされる。追加の第６のステップＳ１６０Ｂによると、タッチされた部分はタッチされた部分をズームインすることで再決定される。ズームインのために、短手幅がプレビュー領域にはこれ以上収まらない。追加の第７ステップＳ１７０Ｂによると、タッチされていない部分はタッチされていない部分をタッチされた部分でのズームインと同じ量だけズームインすることにより、またはタッチされていない部分を変更されないまま残すことによって再決定される。追加の第７のステップＳ１８０Ｂによると、再決定されたタッチされた部分および再決定または変更されていないタッチされていない部分がユーザインタフェース画面上に表示される。次いで、本方法は終了点Ｃに到達する。別の実施形態では、ズームステップはプレビュー領域２１を拡大することによって実施される。次いで、タッチされた部分のほか、タッチされていない部分も同じ伸長程度で伸長される。
【００４４】
図８は、再びプレビュー領域２１を示している。第１の部分２２と第２の部分２３は、図８Ａに示されている。ここで、第２の部分２３がタッチされた。図８Ｂは、第２の部分２３のタッチ後に得られるプレビュー領域を示している。第１の部分２２も、第２の部分２３でのズームインと同程度、ズームインによって再決定されている。図８によると、再決定された第１の部分は、ここでは、再決定された第１の部分８２として示されている。第２の部分２３はズームインされ、ここでは、再決定された第２の部分８３が示されている。第２の部分２３の一部である図８Ａのタイトルブロック２６は、図８Ｂのタイトルブロック８６に拡大されている。ズーミングのやり方は、第１の部分２２または第２の部分２３上のタッチの位置によって決定され得る。ズーミングはさらに、マルチタッチスクリーンの場合には、デピンチジェスチャによって開始され得る。
【００４５】
別の実施形態では、ズームアイコンがそれぞれ第１または第２の部分に配置される時、ズームアイコンは第１または第２の部分でズームするためのユーザインタフェースの表示領域２１に設けられる。
【図１】
2015530655.tif 000003
【図２】
2015530655.tif 000004
【図３Ａ】
2015530655.tif 000005
【図３Ｂ】
2015530655.tif 000006
【図３Ｃ】
2015530655.tif 000007
【図３Ｄ】
2015530655.tif 000008
【図４】
2015530655.tif 000009
【図５Ａ】
2015530655.tif 000010
【図５Ｂ】
2015530655.tif 000011
【図６】
2015530655.tif 000012
【図７】
2015530655.tif 000013
【図８Ａ】
2015530655.tif 000014
【図８Ｂ】
2015530655.tif 000015
【国際調査報告】
2015530655.tif 000016
2015530655.tif 000017
2015530655.tif 000018